(57)【要約】【課題】  遠隔からメモリカードを装着した携帯電話を用いて番組の録画予約ができると共に、そのメモリカードをテレビ録画装置に装着するだけで、該当の録画データをメモリカードに格納できるようにした番組記録予約システムを得る。【解決手段】  携帯電話１は、インターネット網１７を介して取得した電子番組情報から作成したユニークな録画予約ＩＤを含む録画予約データを、無線制御部７により送信すると共にメモリカード２に録画予約ＩＤを書き込み、磁気記憶型ビデオレコーダー３は、送信された録画予約データをインターネット網１７を介して有線通信インターフェース制御部３３により受信し、この録画予約データに応じた録画を行うと共に、メモリカード２に格納された録画予約ＩＤに対応する録画データをそのメモリカード２に書き込むことによりメモリカード２に録画データを格納し、携帯電話１でメモリカード２を装着して閲覧できるようにした。【選択図】図１
2005311767.tif 000002
【特許請求の範囲】
【請求項１】
ネットワークに接続されると共に記録媒体が装着される携帯情報端末、及びこの携帯情報端末とネットワークを介して接続され、上記記録媒体が装着される番組記録装置を備え、上記携帯情報端末は、操作入力が行われる操作キーと、この操作キーからの入力に応じて、ユニークな記録予約ＩＤを含む記録予約データを作成する記録予約データ作成手段と、この記録予約データ作成手段により作成された記録予約データを無線により送信する無線制御部と、上記記録媒体が装着される第一の記録媒体装着部と、この第一の記録媒体装着部に装着された記録媒体に上記記録予約ＩＤを書き込む第一の記録媒体制御部とにより構成され、上記番組記録装置は、上記ネットワークに接続され、上記携帯情報端末から送信される上記記録予約データを上記ネットワークを介して受信する通信インターフェース制御部と、この通信インターフェース制御部によって受信された上記記録予約データに基づき番組から記録された記録データを格納する磁気記憶装置と、この磁気記憶装置に上記記録データを書き込むと共に上記磁気記憶装置から上記記録データを読み出す磁気記憶装置制御部と、上記記録予約ＩＤが書き込まれた記録媒体が装着される第二の記録媒体装着部と、この第二の記録媒体装着部に装着された記録媒体に書き込まれた記録予約ＩＤに応じて上記磁気記憶装置制御部によって読み出された記録データを、上記第二の記録媒体装着部に装着された記録媒体に書き込む第二の記録媒体制御部とにより構成されていることを特徴とする番組記録予約システム。
【請求項２】
上記携帯情報端末により作成される記録予約データには、連続予約モードの設定データが含まれ、上記番組記録装置は、この連続予約モードの設定データに応じて、連続して放送される番組を連続して記録することを特徴とする請求項１記載の番組記録予約システム。
【請求項３】
上記携帯情報端末は、上記第一の記録媒体装着部に装着された記録媒体に書き込まれた記録データを表示する表示部を有することを特徴とする請求項１または請求項２記載の番組記録予約システム。
【請求項４】
操作入力が行われる操作キー、この操作キーからの入力に応じて、ユニークな記録予約ＩＤを含む記録予約データを作成する記録予約データ作成手段、この記録予約データ作成手段により作成された記録予約データを無線により番組記録装置に送信する無線制御部、記録媒体が装着される第一の記録媒体装着部、この第一の記録媒体装着部に装着された記録媒体に上記記録予約ＩＤを書き込む第一の記録媒体制御部、及び上記無線制御部により送信された記録予約データに基づき上記番組記録装置によって記録データが書き込まれ、上記第一の記録媒体装着部に装着された上記記録媒体の上記記録データを出力する出力部を備えたことを特徴とする携帯情報端末。
【請求項５】
ネットワークに接続されると共に記録媒体が装着される携帯情報端末から送信されるユニークな記録予約ＩＤを含む記録予約データを上記ネットワークを介して受信する通信インターフェース制御部、この通信インターフェース制御部によって受信された上記記録予約データに基づき番組から記録された記録データを格納する磁気記憶装置、この磁気記憶装置に上記記録データを書き込むと共に上記磁気記憶装置から上記記録データを読み出す磁気記憶装置制御部、上記携帯情報端末によって上記記録予約ＩＤが書き込まれた記録媒体が装着される第二の記録媒体装着部、及びこの第二の記録媒体装着部に装着された記録媒体に書き込まれた記録予約ＩＤに応じて上記磁気記憶装置制御部によって読み出された記録データを、上記第二の記録媒体装着部に装着された記録媒体に書き込む第二の記録媒体制御部を備えたことを特徴とする番組記録装置。
【発明の詳細な説明】
【技術分野】
【０００１】
この発明は、メモリカードなどの記録媒体が装着される記録媒体装着部を有する携帯電話や携帯情報端末と、同じく記録媒体が装着される記録媒体装着部を有する番組記録装置を用いた番組記録予約システム、並びにこれに用いられる携帯情報端末及び番組記録装置に関するものである。
【背景技術】
【０００２】
メモリカードに録画設定データを格納することにより、メモリカードを記憶媒体としたテレビ録画機能の利便性を向上する先行事例として、特許文献１がある。
特許文献１は、携帯電話および携帯情報端末からの録画予約情報を直接メモリカードに書込み、メモリカードをテレビ録画装置に装着することにより、メモリカードの録画予約情報をテレビ録画装置が読取り、メモリカードにテレビ録画するものである。
【０００３】
【特許文献１】特開２００２−６４７８２号公報（第３〜６頁、図１）
【発明の開示】
【発明が解決しようとする課題】
【０００４】
特許文献１では、遠隔地からの録画予約等においては、このメモリカードを利用した録画予約が行えない問題が生じる。
また、メモリカードそのものを録画予約設定データおよび録画データの媒体として使用するので、特定の番組を連続してメモリカードに録画するためには、録画予約の段階で使用者が意識して該当メモリカードを選択しなければならず、小型でカード表面にインデックス表示をすることが困難なメモリカードでは、該当のメモリカードを捜索する場合には、非常にわずらわしい作業になっていた。
【０００５】
この発明は、上述のような課題を解決するためになされたものであり、遠隔から記録媒体を装着した携帯電話を用いて番組の記録予約ができると共に、その記録媒体を番組記録装置に装着するだけで、自動で該当の記録データを適切なファイル形式に変換して記録媒体に格納できるようにした番組記録予約システムを得ることを第一の目的にしている。
また、遠隔から記録媒体を用いて番組の記録予約ができると共に、その記録媒体を番組記録装置に装着するだけで、自動で該当の記録データを適切なファイル形式に変換して記録媒体に格納できるようにした携帯情報端末を得ることを第二の目的にしている。
また、遠隔から記録媒体を装着した携帯電話を用いて番組の記録予約ができると共に、自動で該当の記録データを適切なファイル形式に変換してその記録媒体に格納できるようにした番組記録装置を得ることを第三の目的にしている。
【課題を解決するための手段】
【０００６】
この発明に係わる番組記録予約システムにおいては、ネットワークに接続されると共に記録媒体が装着される携帯情報端末、及びこの携帯情報端末とネットワークを介して接続され、記録媒体が装着される番組記録装置を備え、携帯情報端末は、操作入力が行われる操作キーと、この操作キーからの入力に応じて、ユニークな記録予約ＩＤを含む記録予約データを作成する記録予約データ作成手段と、この記録予約データ作成手段により作成された記録予約データを無線により送信する無線制御部と、記録媒体が装着される第一の記録媒体装着部と、この第一の記録媒体装着部に装着された記録媒体に記録予約ＩＤを書き込む第一の記録媒体制御部とにより構成され、番組記録装置は、ネットワークに接続され、携帯情報端末から送信される記録予約データをネットワークを介して受信する通信インターフェース制御部と、この通信インターフェース制御部によって受信された記録予約データに基づき番組から記録された記録データを格納する磁気記憶装置と、この磁気記憶装置に記録データを書き込むと共に磁気記憶装置から記録データを読み出す磁気記憶装置制御部と、記録予約ＩＤが書き込まれた記録媒体が装着される第二の記録媒体装着部と、この第二の記録媒体装着部に装着された記録媒体に書き込まれた記録予約ＩＤに応じて磁気記憶装置制御部によって読み出された記録データを、第二の記録媒体装着部に装着された記録媒体に書き込む第二の記録媒体制御部とにより構成されているものである。
また、この発明に係わる携帯情報端末においては、操作入力が行われる操作キー、この操作キーからの入力に応じて、ユニークな記録予約ＩＤを含む記録予約データを作成する記録予約データ作成手段、この記録予約データ作成手段により作成された記録予約データを無線により番組記録装置に送信する無線制御部、記録媒体が装着される第一の記録媒体装着部、この第一の記録媒体装着部に装着された記録媒体に記録予約ＩＤを書き込む第一の記録媒体制御部、及び無線制御部により送信された記録予約データに基づき番組記録装置によって記録データが書き込まれ、第一の記録媒体装着部に装着された記録媒体の記録データを出力する出力部を備えたものである。
また、この発明に係わる番組記録装置においては、ネットワークに接続されると共に記録媒体が装着される携帯情報端末から送信されるユニークな記録予約ＩＤを含む記録予約データをネットワークを介して受信する通信インターフェース制御部、この通信インターフェース制御部によって受信された記録予約データに基づき番組から記録された記録データを格納する磁気記憶装置、この磁気記憶装置に記録データを書き込むと共に磁気記憶装置から記録データを読み出す磁気記憶装置制御部、携帯情報端末によって記録予約ＩＤが書き込まれた記録媒体が装着される第二の記録媒体装着部、及びこの第二の記録媒体装着部に装着された記録媒体に書き込まれた記録予約ＩＤに応じて磁気記憶装置制御部によって読み出された記録データを、第二の記録媒体装着部に装着された記録媒体に書き込む第二の記録媒体制御部を備えたものである。
【発明の効果】
【０００７】
この発明は、以上説明したように、ネットワークに接続されると共に記録媒体が装着される携帯情報端末、及びこの携帯情報端末とネットワークを介して接続され、記録媒体が装着される番組記録装置を備え、携帯情報端末は、操作入力が行われる操作キーと、この操作キーからの入力に応じて、ユニークな記録予約ＩＤを含む記録予約データを作成する記録予約データ作成手段と、この記録予約データ作成手段により作成された記録予約データを無線により送信する無線制御部と、記録媒体が装着される第一の記録媒体装着部と、この第一の記録媒体装着部に装着された記録媒体に記録予約ＩＤを書き込む第一の記録媒体制御部とにより構成され、番組記録装置は、ネットワークに接続され、携帯情報端末から送信される記録予約データをネットワークを介して受信する通信インターフェース制御部と、この通信インターフェース制御部によって受信された記録予約データに基づき番組から記録された記録データを格納する磁気記憶装置と、この磁気記憶装置に記録データを書き込むと共に磁気記憶装置から記録データを読み出す磁気記憶装置制御部と、記録予約ＩＤが書き込まれた記録媒体が装着される第二の記録媒体装着部と、この第二の記録媒体装着部に装着された記録媒体に書き込まれた記録予約ＩＤに応じて磁気記憶装置制御部によって読み出された記録データを、第二の記録媒体装着部に装着された記録媒体に書き込む第二の記録媒体制御部とにより構成されているので、記録予約ＩＤが格納された記録媒体を番組記録装置に装着するだけで、遠隔から記録予約して記録した番組を記録媒体に格納することが可能となり、使用者は、より簡易な操作で、携帯情報端末により記録した番組を出力することができる。
また、操作入力が行われる操作キー、この操作キーからの入力に応じて、ユニークな記録予約ＩＤを含む記録予約データを作成する記録予約データ作成手段、この記録予約データ作成手段により作成された記録予約データを無線により番組記録装置に送信する無線制御部、記録媒体が装着される第一の記録媒体装着部、この第一の記録媒体装着部に装着された記録媒体に記録予約ＩＤを書き込む第一の記録媒体制御部、及び無線制御部により送信された記録予約データに基づき番組記録装置によって記録データが書き込まれ、第一の記録媒体装着部に装着された記録媒体の記録データを出力する出力部を備えたので、記録予約ＩＤを格納した記録媒体を番組記録装置に装着するだけで、遠隔から記録予約して記録した番組を記録媒体に格納することが可能となり、使用者は、より簡易な操作で、携帯情報端末により記録した番組を出力することができる。
また、ネットワークに接続されると共に記録媒体が装着される携帯情報端末から送信されるユニークな記録予約ＩＤを含む記録予約データをネットワークを介して受信する通信インターフェース制御部、この通信インターフェース制御部によって受信された記録予約データに基づき番組から記録された記録データを格納する磁気記憶装置、この磁気記憶装置に記録データを書き込むと共に磁気記憶装置から記録データを読み出す磁気記憶装置制御部、携帯情報端末によって記録予約ＩＤが書き込まれた記録媒体が装着される第二の記録媒体装着部、及びこの第二の記録媒体装着部に装着された記録媒体に書き込まれた記録予約ＩＤに応じて磁気記憶装置制御部によって読み出された記録データを、第二の記録媒体装着部に装着された記録媒体に書き込む第二の記録媒体制御部を備えたので、記録予約ＩＤが格納された記録媒体を番組記録装置に装着するだけで、遠隔から記録予約して記録した番組を記録媒体に格納することが可能となる。
【発明を実施するための最良の形態】
【０００８】
実施の形態１．
この発明の実施の形態１のシステム構成について図１により説明する。
図１は、この発明の実施の形態１によるテレビ録画予約システムを示すシステム構成図である。
図１において、テレビ録画予約システムは、遠隔地よりテレビ番組の録画予約を行う携帯電話（または携帯情報端末）１と、インターネット（ネットワーク）に接続する手段、またはパーソナルコンピュータを介してインターネットに接続する手段を有する磁気記憶型ビデオレコーダー（またはその他のテレビ録画装置）３（番組記録装置）と、これら両方の機器に接続され、テレビ録画データを保存し、携帯電話１でテレビ録画データを視聴可能とするメモリカード２により構成される。
磁気記憶型ビデオレコーダー２は、録画予約によりテレビ放送を本体内記憶媒体（この例では磁気記憶装置）に録画し、携帯電話１の生成する録画予約ＩＤ（記録予約ＩＤ）を認識することが可能である。メモリカード３（記録媒体）は、携帯電話１及び磁気記憶型ビデオレコーダー２に装着されて読み書き可能に形成されている。
【０００９】
携帯電話１は、次のように構成されている。
システムＬＳＩ４（記録予約データ作成手段）は、携帯電話１の主制御を行うＣＰＵと、動画再生等をリアルタイム処理するＤＳＰと、時計機能及び外部インタフェース制御とで構成される。読み書き可能なＲＡＭ５は、システムＬＳＩ４が動作する際に使用される。フラッシュメモリ６には、携帯電話１の動作を制御する基本的なプログラムが格納される。
無線制御部７は、携帯電話１の無線通信データの送受信を制御する。アンテナ８は、無線電波の送受信を行う。操作部９は、ユーザーが操作することにより、システムＬＳＩ４に信号入力を行うスイッチで構成される。表示部１０（出力部）は、携帯電話１の主画面を表示する機能であり、メモリカード２に保存された動画ファイルもこの表示部１０の画面上に再生される。一般的にはカラー表示可能な液晶ディスプレイ（ＬＣＤ）で構成される。
【００１０】
音声制御ＬＳＩ１１は、音声のアナログ入出力データをデジタル化し、システムＬＳＩ４とのインターフェース機能を有する。音声入力部１２は、マイク、マイクアンプ等で構成される。音声出力部１３（出力部）は、スピーカー、レシーバー及びそれらをドライブするアンプ等で構成される。電源部１４は、携帯電話１の全体に必要な電源電圧／電流を供給する。メモリカード制御部１５（第一の記録媒体制御部）は、システムＬＳＩ４とインタフェースし、メモリカード２の読み書きを制御する。このメモリカード制御部１５は、システムＬＳＩ４の内部に構成される場合もある。メモリカードスロット１６（第一の記録媒体装着部）は、メモリカード２を装着するためにメモリカード２の脱着機能を有している。以上４〜１６が携帯電話１を構成する。
【００１１】
次に、磁気記憶型ビデオレコーダー３の構成について説明する。
メモリカードスロット１８（第二の記録媒体装着部）は、メモリカードスロット１６と同様、メモリカード２を装着する。ＣＰＵ１９は、磁気記憶型ビデオレコーダー３の主制御を行う。ＤＳＰ２０は、テレビ放送を圧縮したデジタルデータにリアルタイムに変換を行うと共に、圧縮されたデジタルデータをリアルタイムに非圧縮のデジタルデータに復元する。ＲＡＭ２１は、ＣＰＵ１９やＤＳＰ２０の動作により読み書きされる。フラッシュメモリ２２には、磁気記憶型ビデオレコーダー３の動作を制御する基本的なプログラムが格納される。メモリカード制御部２３（第二の記録媒体制御部）は、メモリカード２の読み書きを制御する。
【００１２】
磁気記憶装置２４は、録画データおよび録画内容に関するインデックスデータを保存する。磁気記憶装置制御部２５は、ＣＰＵ１９と接続され、磁気記憶装置２３の読み書きを実行する。テレビチューナー２６は、テレビ放送を受信して信号を抽出する。ＡＤ変換部２７は、テレビチューナー２６より出力されるアナログデータをデジタル信号化し、ＤＳＰ２０に入力する。ＤＡ変換部２８は、録画データ再生時にＤＳＰ２０より出力されるデジタルデータをアナログ信号化する。
アナログインターフェース部２９は、テレビ及びその他のアナログ映像・音声機器とのインターフェースを行う。外部インターフェース部３０は、ＣＰＵ１９と接続され、外部機器のインターフェースを制御する。スイッチ等の操作部３１は、使用者が磁気記憶型ビデオレコーダー３の各種設定を行う場合に操作する。表示部３２は、ＬＣＤなどで構成され、録画状態や時間、残容量等のテレビ録画機能を実現する上で必要な情報を使用者に通知するために表示する。
【００１３】
有線通信インターフェース制御部３３（通信インターフェース制御部）は、インターネット接続を可能とするためのモデムやＬＡＮ等の接続を可能とする。この有線通信インターフェース制御部３３は、実施の形態１では直接インターネットに接続されているが、例えばＵＳＢインターフェースやＩＥＥＥ１３９４インターフェース等の標準的なインターフェースにより構成することで、パーソナルコンピュータを介して同じ機能を実現することが可能である。電源部３４は、磁気記憶型ビデオレコーダー３全体に必要な電源電圧／電流を供給する。１８〜３４で、磁気記憶型ビデオレコーダー３を構成する。
インターネット網１７は、電子番組情報（ＥＰＧ）データのダウンロードや携帯電話１から磁気記憶型ビデオレコーダー３に録画予約を設定する際の通信手段として使用される。
【００１４】
図２は、この発明の実施の形態１によるテレビ録画予約システムの録画予約とメモリカードへの録画データの格納の一部を示すフローチャートである。
図３は、この発明の実施の形態１によるテレビ録画予約システムの録画予約とメモリカードへの録画データの格納の他の一部を示すフローチャートである。
図４は、この発明の実施の形態１によるテレビ録画予約システムの携帯電話による録画予約ＩＤ生成を示すフローチャートである。
図５は、この発明の実施の形態１によるテレビ録画予約システムの磁気記憶型ビデオレコーダによる録画データのメモリカードへの保存の一部を示すフローチャートである。
図６は、この発明の実施の形態１によるテレビ録画予約システムの磁気記憶型ビデオレコーダによる録画データのメモリカードへの保存の他の一部を示すフローチャートである。
【００１５】
図７は、この発明の実施の形態１によるテレビ録画予約システムの携帯電話がメモリカードに作成する録画予約ＩＤ格納ファイルの例を示す図である。
図８は、この発明の実施の形態１によるテレビ録画予約システムの携帯電話が磁気記憶型ビデオレコーダーに送信する録画予約データの例を示す図である。
【００１６】
次に、図２、図３を用いて、本発明における録画予約とメモリカード２への録画データ格納までのフローについて説明する。
まず、携帯電話１により録画予約を行う場合について説明する。
図２において、ユーザーは、携帯電話１に、録画データを格納したいメモリカード２を予め装着する。次に、例えばインターネット上の録画予約サービス提供サイト（ＥＰＧデータ提供サイト）に接続し、電子番組情報（ＥＰＧ）データのダウンロード要求を行う（ステップＳ１）。録画予約サービス提供サイトは、ダウンロード要求を受理し（ステップＳ２）、ＥＰＧデータを送信する（ステップＳ３）。携帯電話１は、電子番組情報（ＥＰＧ）データをダウンロード（ステップＳ４）し、表示部１０で閲覧する。ユーザーは、操作部９を操作することにより、録画予約番組を選択する（ステップＳ５）。携帯電話１は、選択された番組の録画予約情報をインターネット網１７を介して、磁気記憶型ビデオレコーダー３に送信するための録画予約データを、図８のようなテキスト形式のファイルとして生成し、録画予約データをインターネット網１７を介して磁気記憶型ビデオレコーダー３に送信する（ステップＳ６）。
この録画予約データは、録画開始日付、録画開始時刻、録画終了日付、録画終了時刻、チャンネル、録画モード、番組名等、録画に必要なデータと、とくに携帯電話１の録画予約ＩＤを録画予約データに含めるものである。録画予約ＩＤは、携帯電話番号＋予約実行によりインクリメントされる連番（例えば３〜４ケタの連番）のデータ構成とする。この録画予約ＩＤは、携帯電話番号を含むので、携帯電話１にユニークに付けられる番号となり、例えば磁気記憶型ビデオレコーダー３を家族で使用する場合にも、録画予約ＩＤが重複することはない。
【００１７】
録画予約データの磁気記憶型ビデオレコーダー３への送信については、録画予約サービスコンテンツのサービス形態に準じて、録画予約データを、インターネット網１７を介して磁気記憶型ビデオレコーダー３に送信する方法や、例えば特開２００２−１１８８０５号公報に記載されているように、携帯電話１で生成した録画予約設定ファイルを電子メールの添付ファイルとして磁気記憶型ビデオレコーダー３に送信する方法等がある。
【００１８】
次に、携帯電話１は、生成した録画予約ＩＤを、予め定められたテキストベースのシステムファイルとして、メモリカード２に保存する（ステップＳ７）。ここで、予め定められたシステムファイルとは、図７に示されるように、携帯電話１と磁気記憶型ビデオレコーダー３が、共通して録画予約ＩＤを示すファイルであることを認識できるような、例えば共通のファイル名及び専用のファイル拡張子［ｙｏｙａｋｕ＿ＩＤ．ａｂｃ］をもつように構成されたファイルであることを示す。
また、メモリカードが装着されていない場合については、携帯電話１のＲＡＭ５に保存する。保存したデータは、メモリカード２を装着し、例えば動画設定メニュー等により、メモリカード２に移動可能とする。複写は、データ重複を避けるため禁止する。
携帯電話１は、この時点で磁気記憶型ビデオレコーダー３に録画予約設定を完了し、メモリカード２に録画予約ＩＤが格納されたことになる。
【００１９】
次に、録画予約データを受信した磁気記憶型ビデオレコーダー３の動作について説明する。
録画予約サービス提供サイトに対して、定期的に番組データの取得動作を行い（ステップＳ９）、録画予約サービス提供サイトからＥＰＧデータをダウンロードにより取得する（ステップＳ１０）。
携帯電話１から録画予約データを受信した（ステップＳ１１）場合には、録画予約データを受信した磁気記憶型ビデオレコーダー３の予約管理手段に準じ、例えば予約管理を予約管理データファイルとして管理している場合は、受信した録画予約データを予約管理データファイルに登録し、データ更新を行う。この場合の録画予約データには録画予約ＩＤも含まれる。また予約管理データは、録画開始時刻の早い順にソートされている。
【００２０】
磁気記憶型ビデオレコーダー３は、この録画予約データに基づき、テレビ番組の録画を実行する（ステップＳ１２）。従来通りにテレビチューナー２７により受信したテレビ放送をＡＤ変換装置２６、ＤＳＰ部２０により適切なデジタルフォーマットに圧縮された動画データは、ＣＰＵ１９により、磁気記憶装置制御部２５が制御され、磁気記憶装置２４に動画ファイル（例えばＭＰＥＧ２形式）の録画データとして格納される。
次に、磁気記憶型ビデオレコーダー３は、録画内容のインデックスを表示可能とするために形成される録画インデックスデータファイルに、予約管理データファイルから該当の録画予約データを移動し、動画ファイルのファイル名を登録する（ステップＳ１３）。このインデックスファイルにより、録画予約ＩＤと録画データのリンクが可能な状態となる。
上記により、磁気記憶型ビデオレコーダー３は、録画予約を実行し、該当のテレビ放送を録画データとして保存すると共に、録画データと録画予約ＩＤとのリンクが可能となる。
【００２１】
次に、メモリカード２に上記録画データを保存する動作について説明する。
ユーザーが上記携帯電話１からのテレビ録画予約を実行時に装着し、録画予約ＩＤが書き込まれたメモリカード２を、該当の録画が完了済みの磁気記憶型ビデオレコーダー３のカードスロット１８に装着する（ステップＳ１４）。磁気記憶型ビデオレコーダー３は、メモリカード制御部２３を介してＣＰＵ１９が装着割込みを検出することにより、磁気記憶型ビデオレコーダー３の制御ソフトウェアは、メモリカード２が装着されたことを認識し、定められたシステムファイル［ｙｏｙａｋｕ＿ＩＤ．ＡＢＣ］の録画予約ＩＤを読込む（ステップＳ１５）。
次に、図３において、読込んだ録画予約ＩＤを検索キーとして録画インデックスデータを検索し（ステップＳ１６）、一致した録画予約ＩＤとリンクされている録画データをメモリカード２に、複写または移動により書き込む（ステップＳ１７）。メモリカード２に複写または移動される録画データは、ＣＰＵ１９、ＤＳＰ部２５により、磁気記憶型ビデオレコーダー３で使用される動画フォーマット（例：ＭＰＥＧ２）より圧縮率の高いデジタルフォーマット（例：ＭＰＥＧ４）に変換を行い、メモリカード２に保存する。また、システムファイル［ｙｏｙａｋｕ＿ＩＤ．ＡＢＣ］に複数の録画予約ＩＤがある場合は、順次上記の動作を行い、録画データをメモリカード２に保存する。
【００２２】
次に、インデックスデータを定められたエリアに書き込むと共に、録画予約時に生成された録画予約ＩＤを削除する（ステップＳ１８）。
実施の形態１では、メモリカード２に保存するデジタルデータは、メモリカードが装着され、データを保存する時にファイル変換することとしたが、録画実行時にメモリカード書き込み用ファイルとして生成しておくことでも良い。
上記により、メモリカード２に録画予約したテレビ番組の録画データが保存され（ステップＳ１９）、メモリカード２を磁気記憶型ビデオレコーダー３から取外し（ステップＳ２０）、このメモリカード２を装着した携帯電話１で、テレビ録画データが再生・視聴する（ステップＳ２１）ことが可能となる。
【００２３】
次に、図４を用いて、携帯電話１のシステムＬＳＩ４（ＣＰＵ）による録画予約ＩＤ生成について説明する。
まず、録画予約データファイル〔ｙｏｙａｋｕ．ｔｘｔ〕を作成する（ステップＳ３１）。次いで、ＲＡＭに格納された録画予約実行回数ｎを読み込む（ステップＳ３２）。端末の電話番号＋ｎを録画予約ＩＤとする（ステップＳ３３）。録画予約データファイル〔ｙｏｙａｋｕ．ｔｘｔ〕に録画予約ＩＤを追加する（ステップＳ３４）。次いで、メモリカードの装着をチェックする（ステップＳ３５）。メモリカードが装着されている場合には、録画時間から必要なメモリ容量を算出する（ステップＳ３６）。メモリカードが装着されていない場合には、メッセージを表示してユーザの意思を確認する（ステップＳ３７）。そして、中止または継続またはメモリカードの装着の意思を確認して（ステップＳ３８）、装着の場合は、メモリカード装着検出処理により、その装着を検出する（ステップＳ３９）。
【００２４】
その後、及びステップＳ３６の後に、メモリカードの容量は十分かどうかを判定し（ステップＳ４０）、メモリカードの容量が不十分の場合には、メッセージ表示してユーザの意思を確認する（ステップＳ４２）。その結果、中止または継続またはメモリカード変更かの意思を確認して（ステップＳ４３）、変更の場合には、ステップＳ３９に行き、継続の場合には、ステップＳ４１に行く。
ステップＳ４０で、メモリカードの容量が十分なときは、メモリカード上に録画ＩＤ管理ファイル［ｙｏｙａｋｕ＿ＩＤ．ａｂｃ］があるかどうかを判定する（ステップＳ４１）。ある場合は、メッセージ表示して、ユーザの意思を確認する（ステップＳ４４）。その結果、中止または継続またはメモリカード変更のいずれかの意思を確認し（ステップＳ４５）、継続の場合には、ステップＳ４７に行く。変更の場合には、ステップＳ３９に行く。
【００２５】
ステップＳ４７では、メモリカード上の録画ＩＤ管理ファイルに録画予約ＩＤを追加書き込みする。ステップＳ４１で、メモリカード上に録画ＩＤ管理ファイル［ｙｏｙａｋｕ＿ＩＤ．ａｂｃ］がない場合には、ステップＳ４６で、メモリカードに録画ＩＤ管理ファイル〔ｙｏｙａｋｕ＿ＩＤ．ａｂｃ〕を作成し、録画予約ＩＤを格納する。
ステップＳ３８で、継続の場合には、ステップＳ４８で、ＲＡＭ格納エリアがあるかどうかを判定し、ある場合にはステップＳ４９で、ＲＡＭの定められた領域に録画予約ＩＤを保存する。
ステップＳ４６またはステップＳ４７またはステップＳ４９の終了後は、ステップＳ５０で、録画予約データファイルを該当のテレビ録画装置に、電子メールなどによりデータ送信して、終了する。
ステップＳ４８で、ＲＡＭ格納エリアがない場合には、メッセージ表示してユーザの意思を確認する（ステップＳ５１）。ステップＳ５２で、上書きまたは保存しないを判定し、上書きする場合には、ステップＳ４９に行き、保存しない場合には、ステップＳ５３で録画予約データファイル〔ｙｏｙａｋｕ．ｔｘｔ〕を該当のテレビ録画装置に、電子メールなどによりデータ送信して、終了する。
ステップＳ３８またはステップＳ４３またはステップＳ４５で、中止が選択された場合には、録画予約を中止する。
【００２６】
次に、図５、図６を用いて、磁気記憶型ビデオレコーダ３のＣＰＵ１９による録画データのメモリカードへの保存について説明する。
まず、図５について説明する。
ステップＳ７０で、メモリカード上に録画ＩＤ管理ファイル［ｙｏｙａｋｕ＿ＩＤ．ａｂｃ］があるかどうかを判定し、ある場合には、ステップＳ７１で、録画ＩＤ管理ファイル［ｙｏｙａｋｕ＿ＩＤ．ａｂｃ］より、録画予約ＩＤを読み込む。ない場合には、ステップＳ７２で、メッセージ表示して終了する。
ステップＳ７３で、ｎに３を設定し、ステップＳ７４で、ＩＤｎと録画インデックスデータの録画予約ＩＤの一致を検索する。その結果、該当なしの場合には、ステップＳ８７で、ｎから１を引き、ステップＳ８８で、ｎ＝０であれば、ステップＳ８９で、メッセージ表示して終了する。ステップＳ８８で、ｎ＝０でなければステップＳ７４に戻る。
【００２７】
ステップＳ７４で、該当ありの場合には、ステップＳ７５で、該当した録画予約ＩＤから、録画データファイル名を抽出する。次いで、ステップＳ７６で、抽出した録画データを動画圧縮フォーマットの変換を行い、磁気記憶装置に仮動画ファイルを作成する。次いで、ステップＳ７７で、メモリカードの容量が、足りるかどうかを判定し、足りる場合には、ステップＳ７８で、磁気記憶装置上の仮動画ファイルをメモリカードに移動する。
次いで、ステップＳ７９で、動画データは、複写可能かどうかを判定し、可能でない場合には、ステップＳ８０で、磁気記憶装置側の録画データを読出し不可となるように設定する。インデックスデータには、表示不可を設定する。ステップＳ８０の後、及びステップＳ７９で複写可能な場合には、ステップＳ８１で、メモリカードに動画インデックスファイルがあるかどうかを判定し、ある場合には、ステップＳ８２で、メモリカード上のインデックスファイルに磁気記憶装置側の該当のインデックスデータを追加する。ない場合には、ステップＳ８３で、メモリカード上にインデックスファイルを作成し、磁気記憶装置側の該当のインデックスデータを書き込む。その後、ステップＳ９０で、メッセージ表示して、ステップＳ８７に行く。
【００２８】
ステップＳ７７で、メモリカードの容量が足りない場合には、ステップＳ８４で、メッセージ表示して、ステップＳ８５で、メモリカードの変更または終了または分割を判定し、変更の場合は、図６のステップＳ９１に行き、終了の場合には、ステップＳ８７に行き、分割の場合には、ステップＳ８６で、ファイル容量が一杯になるところでファイルを分割し、次のメモリカードを要求し、順次ファイル名に枝番を付けて保存を行い、ステップＳ７９に行く。
【００２９】
次に、図６について説明する。
ステップＳ９１で、メモリカードの装着検出処理によりメモリカードの装着を検出する。次いで、ステップＳ９２で、メモリカードの容量が足りるかどうかを判定し、足りる場合には、ステップＳ９３で、磁気記憶装置上の仮動画ファイルをメモリカードに移動して、ステップＳ７９に行く。ステップＳ９２で、メモリカードの容量が足りない場合には、ステップＳ９４で、メッセージ表示し、ステップＳ９５で、メモリカードの変更または終了または分割を判定し、変更の場合にはステップＳ９１に行き、終了の場合には、図５のステップＳ８７に行き、分割の場合には、ステップＳ９６で、ファイル容量が一杯になるところでファイルを分割し、次のメモリカードを要求し、順次ファイル名に枝番を付けて保存し、図５のステップＳ７９に行く。
【００３０】
実施の形態１によれば、このように、ユーザーは、メモリカード２を携帯電話１に装着し、録画予約を行い、そのメモリカードを磁気記憶型ビデオレコーダー３に装着するだけで、録画データをメモリカードに保存することが可能となり、非常に簡単に携帯電話でテレビ録画データ（ビデオ録画）の再生が可能となり、ユーザーの利便性および使い勝手が向上する。
【００３１】
実施の形態２．
次に、この発明の実施の形態２について、図９を用いて説明する。
図９は、この発明の実施の形態２によるテレビ録画予約システムの録画予約とメモリカードへの録画データの格納を示すフローチャートである。
図９において、ステップＳ１〜Ｓ７、ステップＳ９〜Ｓ１３は図２におけるものと同一の処理である。
図１０は、この発明の実施の形態２によるテレビ録画予約システムの録画予約とメモリカードへの録画データの格納の他の一部を示すフローチャートである。
図１０において、ステップＳ１４、Ｓ１５は図２におけるものと、ステップＳ２０は図３におけるものとそれぞれ同一のものである。
【００３２】
実施の形態２では、携帯電話１に、生成する録画予約データの録画予約ＩＤに連続予約モードの設定データを追加すると共に、録画ＩＤの一部を構成する端末のコードを、電話番号ではなく、任意に設定可能とした。これにより、電話のない携帯情報端末等を用いる場合でも、磁気記憶型ビデオレコーダー３を使用する家族間で区別することが可能となる。
また、実施の形態２による磁気記憶型ビデオレコーダー３は、録画予約データによる連続予約モードの設定を管理する予約管理データを有し、連続予約モードが設定されている場合に、該当の予約実行後に、次の放送の録画予約を予約管理データに登録するようにして、一度、携帯端末１から録画予約を実行することにより、残りの連続放映される番組を自動で録画することができるようにした。
また、メモリカード２の録画予約ＩＤに設定された連続予約モードを認識し、該当番組を磁気記憶型ビデオレコーダー３から自動で検索し、メモリカード２に保存することを可能とするものである。
【００３３】
次に、図９、図１０を用いて、実施の形態２によるテレビ録画予約システムの録画予約とメモリカードへの録画データの格納について、説明する。
まず、図９について説明する。
ステップＳ１〜Ｓ５を経て、ステップＳ６で、携帯電話１が生成する録画予約ＩＤは、実施の形態２では、携帯端末として任意設定可能な例えば４ケタの文字または数字＋予約実行数（例えば４ケタの連番）＋連続予約を示す番号（０１）により構成され、例えば図９では「ＡＢＣＤ０００１０１」とされている。
携帯電話１は、録画予約データ作成時に録画予約ＩＤを表示する、録画予約ＩＤの上位４ケタについては、表示画面で操作キー９により入力が可能である。最初の録画予約時は、時間と分をデータとして初期設定する。録画予約データが生成されれば、実施の形態１と同様に、携帯電話１からインターネット網１７を介して、録画予約データを磁気記憶型ビデオレコーダー３に送信すると共に、録画予約ＩＤをメモリカード２に生成された録画ＩＤ管理ファイル［ｙｏｙａｋｕ＿ＩＤ．ａｂｃ］に書き込む（ステップＳ７）。
【００３４】
磁気記憶型ビデオレコーダー３は、ステップＳ９、Ｓ１０を実行しておく。携帯電話１から受信した録画予約データを予約管理データファイルに登録する（ステップＳ１１）。実施の形態２においての予約管理データには、連続予約モードを行うことについての設定もデータとして格納される。該当予約が録画を実行する時間となり、実行する場合、予約管理データに連続予約モードを使用する記述があれば、該当の予約録画実行時に連続録画予約判定のためのフラグレジスタに“１”をセットする。磁気記憶型ビデオレコーダー３は、録画予約データの示す通りに録画を実行した（ステップＳ１２）後、実施の形態１と同様にインデックスデータを格納する（ステップＳ１３）。
【００３５】
次に、連続録画予約判定フラグを判定し、“０”の場合は、録画完了以降全て実施の形態１と同じである。“１”の場合は、連続録画を行うために、録画予約データと同じ番組を、電子番組情報（ＥＰＧ）データから検索し、放送日の最も近い放送について次の録画予約データを予約管理データに登録する（ステップＳ１００）。このとき同様に連続予約モードを設定する。また、録画予約ＩＤの下位２ケタについては＋１ずつインクリメントする（ステップＳ１０１）。ステップＳ１００の登録後、連続録画予約判定フラグは“０”にクリアする。この“０”は次の予約録画実行時に“１”にセットされる。これにより自動的に連続番組の録画が、順次実行される。
例えば、連続録画を３回実行した場合、インデックスデータに格納される録画予約ＩＤは、１回目の録画予約ＩＤ「ＡＢＣＤ０００１０１」、２回目の録画予約ＩＤ「ＡＢＣＤ０００１０２」、３回目の録画予約ＩＤ「ＡＢＣＤ０００１０３」となる。
【００３６】
次に、該当の録画予約ＩＤを格納したメモリカード２を装着した場合の動作について、図１０を用いて説明する。
連続予約モードが設定されたメモリカードに、録画予約したデータを保存するため、該当のメモリカードを該当の磁気記憶型ビデオレコーダー３に挿入する（ステップＳ１０２）。
メモリカード２が、磁気記憶型ビデオレコーダー３のカードスロット１８に装着される（ステップＳ１４）ことにより、磁気記憶型ビデオレコーダー３は、メモリカード２から録画ＩＤ管理ファイル［ｙｏｙａｋｕ＿ＩＤ．ａｂｃ］を開き、録画予約ＩＤを読み取る（ステップＳ１５）。読み取った録画予約ＩＤの下２ケタをワイルドカードとして、磁気記憶装置２４に格納されているインデックスファイルの録画予約ＩＤを検索する。また、メモリカード２に既に連続番組の途中回までの録画データが存在するか否かを確認するため、メモリカード２のインデックスファイルを検索して、連続予約した全ての録画データを抽出する（ステップＳ１０３）。磁気記憶型ビデオレコーダー３内部で抽出したインデックスデータとの比較を行い、メモリカード２に保存されていない録画データのみを抽出し、実施の形態１と同様に、より圧縮率の高いデジタルフォーマットに変換を行い、メモリカード２に書き込む（ステップＳ１０４）。次いで、メモリカード上でインデックスファイルがすでにある場合には、追加保存した録画データのインデックスデータを追加保存する。また、インデックスファイルがなければ、インデックスファイルを作成し、メモリカード２に保存した録画データのインデックスデータを保存する（ステップＳ１０５）。これにより、録画データのメモリカードへの保存が自動的に完了し、メモリカードの容量が不足する場合は、次のメモリカードを要求し、何枚かのメモリカードに保存を行う（ステップＳ１０６）。
【００３７】
次いで、磁気記憶型ビデオレコーダー３からメモリカードを取外し（ステップＳ２０）て、携帯電話１に装着し、携帯電話や携帯情報端末において再生操作をすることで、録画したテレビ番組を携帯電話や携帯情報端末で視聴する（ステップＳ１０７）。また、連続録画モードを使用すれば、例えばドラマを最終回まで録画した後、該当のメモリカードを装着するだけで、第１回〜最終回までの放送をメモリカードにコレクションすることが可能であり、ユーザにとって利便性が得られる。
【００３８】
実施の形態２によれば、例えば連続ドラマや連日に亘って放映される特別番組などについて、放映第１回目に連続モードで録画予約を行えば、放送最終回まで自動で磁気記憶型ビデオレコーダー３に録画が行え、メモリカード１６を装着することにより、該当のテレビドラマのみが放映順にメモリカードにコレクションでき、ユーザーの利便性が得られる。
【００３９】
なお、上述の実施の形態１及び実施の形態２の説明では、磁気記憶型ビデオレコーダーにテレビ放送された映像信号を録画するものについて説明したが、この発明はこれに限らず、例えばラジオ放送のような音声信号を記録する場合にも適用することができる。
【図面の簡単な説明】
【００４０】
【図１】この発明の実施の形態１によるテレビ録画予約システムを示すシステム構成図である。
【図２】この発明の実施の形態１によるテレビ録画予約システムの録画予約とメモリカードへの録画データの格納の一部を示すフローチャートである。
【図３】この発明の実施の形態１によるテレビ録画予約システムの録画予約とメモリカードへの録画データの格納の他の一部を示すフローチャートである。
【図４】この発明の実施の形態１によるテレビ録画予約システムの携帯電話による録画予約ＩＤ生成を示すフローチャートである。
【図５】この発明の実施の形態１によるテレビ録画予約システムの磁気記憶型ビデオレコーダによる録画データのメモリカードへの保存の一部を示すフローチャートである。
【図６】この発明の実施の形態１によるテレビ録画予約システムの磁気記憶型ビデオレコーダによる録画データのメモリカードへの保存の他の一部を示すフローチャートである。
【図７】この発明の実施の形態１によるテレビ録画予約システムの携帯電話がメモリカードに作成する録画予約ＩＤ格納ファイルの例を示す図である。
【図８】この発明の実施の形態１によるテレビ録画予約システムの携帯電話が磁気記憶型ビデオレコーダーに送信する録画予約データの例を示す図である。
【図９】この発明の実施の形態２によるテレビ録画予約システムの録画予約とメモリカードへの録画データの格納の一部を示すフローチャートである。
【図１０】この発明の実施の形態２によるテレビ録画予約システムの録画予約とメモリカードへの録画データの格納の他の一部を示すフローチャートである。
【符号の説明】
【００４１】
１  携帯電話
２  メモリカード
３  磁気記憶型ビデオレコーダー
４  システムＬＳＩ
５  ＲＡＭ
６  フラッシュメモリ
７  無線制御部
８  アンテナ
９  操作キー
１０  表示部
１１  音声制御ＬＳＩ
１２  音声入力部
１３  音声出力部
１４  電源部
１５  メモリカード制御部
１６  メモリカードスロット
１７  インターネット網
１８  メモリカードスロット
１９  ＣＰＵ
２０  ＤＳＰ部
２１  ＲＡＭ
２２  フラッシュメモリ
２３  メモリカード制御部
２４  磁気記憶装置
２５  磁気記憶装置制御部
２６  テレビチューナー
２７  ＡＤ変換部
２８  ＤＡ変換部
２９  アナログインターフェース制御部
３０  外部ＩＯ制御部
３１  操作キー
３２  表示部
３３  有線通信インターフェース制御部
３４  電源部
【図１】
2005311767.tif 000003
【図２】
2005311767.tif 000004
【図３】
2005311767.tif 000005
【図４】
2005311767.tif 000006
【図５】
2005311767.tif 000007
【図６】
2005311767.tif 000008
【図７】
2005311767.tif 000009
【図８】
2005311767.tif 000010
【図９】
2005311767.tif 000011
【図１０】
2005311767.tif 000012